(57)【要約】【課題】ＢＤ−Ｒなどの記録可能な光ディスクを低コストにスピンアップ時間を短縮することができる光ディスク装置、光ディスク再生方法、光ディスク再生プログラムおよび光ディスク再生プログラムを格納した記録媒体を提供する。【解決手段】最初の再生時にＢＤ−Ｒであった場合は、ディスク種別とＴＤＭＡインジケータの内容をフラッシュメモリ１５に記憶させる。その後電源ＯＦＦ時にはフラッシュメモリ１５に記憶したＴＤＭＡインジケータに基づいて有効ＴＤＭＳが記録されているＴＤＭＡの位置に光ピックアップ３を移動させて、電源ＯＮになった際には、そのＴＤＭＡにあるＴＤＭＳを最初にリードさせる。【選択図】図３
2011170921.tif 000002
【特許請求の範囲】
【請求項１】
ユーザデータが記録されているユーザデータ領域と、前記ユーザデータ領域のデータ記録に応じて更新される管理情報が記録可能であって内周および外周の複数の位置に設けられたユーザデータ記録管理領域と、複数の前記ユーザデータ記録管理領域のいずれが有効であるかを示す情報や自身を再生するために必要な情報が記録されているディスク管理領域と、を有した光ディスクからデータを読み込む読み込み手段と、前記読み込み手段が読み込んだデータを再生する再生手段と、を備えた光ディスク装置において、
複数の前記ユーザデータ記録管理領域のいずれが有効であるかを示す情報を記憶する不揮発性の記憶手段と、
前記光ディスクが当該光ディスク装置内に挿入された直後の再生時に、前記記憶手段に複数の前記ユーザデータ記録管理領域のいずれが有効であるかを示す情報を記憶させる記憶制御手段と、
前記光ディスクを再生後に電源を切る際には、前記記憶手段に記憶した複数の前記ユーザデータ記録管理領域のいずれが有効であるかを示す情報に基づいて、有効である前記ユーザデータ記録管理領域に対応する位置に前記読み込み手段を移動させ、その後に電源が投入された際は当該有効である前記ユーザデータ記録管理領域に記録された前記管理情報から前記読み込み手段に読み込ませる読み込み制御手段と、
を備えたことを特徴とする光ディスク装置。
【請求項２】
前記読み込み制御手段が、前記有効である前記ユーザデータ記録管理領域に記録された前記管理情報を読み込ませた後に、前記自身を再生するために必要な情報を前記読み込み手段に読み込ませることを特徴とする請求項１に記載の光ディスク装置。
【請求項３】
前記記憶制御手段が、前記光ディスクが当該光ディスク装置から排出されたことを検出し、排出されたことを検出した際は、前記記憶手段に記憶されている複数の前記ユーザデータ記録管理領域のいずれが有効であるかを示す情報を消去することを特徴とする請求項１または２に記載の光ディスク装置。
【請求項４】
ユーザデータが記録されているユーザデータ領域と、前記ユーザデータ領域のデータ記録に応じて更新される管理情報が記録可能であって内周および外周の複数の位置に設けられたユーザデータ記録管理領域と、複数の前記ユーザデータ記録管理領域のいずれが有効であるかを示す情報や自身を再生するために必要な情報が記録されているディスク管理領域と、を有した光ディスクからデータを読み込み手段で読み込み再生する再生装置における光ディスク再生方法において、
前記光ディスクが前記再生装置内に挿入された直後の再生時に、不揮発性の記憶手段に複数の前記ユーザデータ記録管理領域のいずれが有効であるかを示す情報を記憶して、前記光ディスクを再生後に電源を切る際には、前記記憶手段に記憶した複数の前記ユーザデータ記録管理領域のいずれが有効であるかを示す情報に基づいて、有効である前記ユーザデータ記録管理領域に対応する位置に前記読み込み手段を移動させ、その後に電源が投入された際は当該有効である前記ユーザデータ記録管理領域に記録された前記管理情報から前記読み込み手段に読み込ませることを特徴とする光ディスク再生方法。
【請求項５】
ユーザデータが記録されているユーザデータ領域と、前記ユーザデータ領域のデータ記録に応じて更新される管理情報が記録可能であって内周および外周の複数の位置に設けられたユーザデータ記録管理領域と、複数の前記ユーザデータ記録管理領域のいずれが有効であるかを示す情報や自身を再生するために必要な情報が記録されているディスク管理領域と、を有した光ディスクからデータを読み込む読み込み手段と、前記読み込み手段が読み込んだデータを再生する再生手段と、を備えた光ディスク装置のコンピュータを、
複数の前記ユーザデータ記録管理領域のいずれが有効であるかを示す情報を記憶する不揮発性の記憶手段と、
前記光ディスクが当該光ディスク装置内に挿入された直後の再生時に、前記記憶手段に複数の前記ユーザデータ記録管理領域のいずれが有効であるかを示す情報を記憶させる記憶制御手段と、
前記光ディスクを再生後に電源を切る際には、前記記憶手段に記憶した複数の前記ユーザデータ記録管理領域のいずれが有効であるかを示す情報に基づいて、有効である前記ユーザデータ記録管理領域に対応する位置に前記読み込み手段を移動させ、その後に電源が投入された際は当該有効である前記ユーザデータ記録管理領域に記録された前記管理情報から前記読み込み手段に読み込ませる読み込み制御手段と、
として機能させることを特徴とする光ディスク再生プログラム。
【請求項６】
請求項５に記載の光ディスク再生プログラムを格納したことを特徴とするコンピュータ読み取り可能な記録媒体。
【発明の詳細な説明】
【技術分野】
【０００１】
本発明は、光ディスクを再生可能な光ディスク装置、光ディスク再生方法、光ディスク再生プログラムおよび光ディスク再生プログラムを格納した記録媒体に関する。
【背景技術】
【０００２】
例えばＢＤ−Ｒ（Blu-ray Disc Recordable）などのように記録可能とされる光ディスクが知られている（例えば特許文献１を参照）。ＢＤ−Ｒでは、データの記録構造やディスクの欠陥情報を管理するため、管理情報であるＴＤＭＳ（Temporary Disc Management Structure）を持ち、そのＴＤＭＳをディスク上の所定位置に設けられているユーザデータ記録管理領域としてのＴＤＭＡ（Temporary Disc Management Area）に追記していくよう定められている。ＴＤＭＳは後述するようにユーザデータ領域のデータ記録に応じて更新され、最後に追記されたＴＤＭＳが、有効なＴＤＭＳである。
【０００３】
ここで、ＢＤ−Ｒの記録領域の構造について図１上段を参照して説明する。ＢＤ−Ｒは図１に示すように内周側からリードインゾーン、データゾーン、リードアウトゾーンが配される。リードインゾーンには、主にディスク管理領域として用いられ、ＰＩＣ、ＤＭＡ２、ＴＤＭＡ０、ＤＭＡ１、ＰＡＣなどの所定の領域フォーマットが設定される。ＰＩＣ、ＰＡＣは当該ＢＤ−Ｒを再生するために必要な物理情報や制御情報等が記録される。ＤＭＡ１、ＤＭＡ２はファイナライズ時に最新のＴＤＭＳが記録される領域であり、ＤＭＡ１、ＤＭＡ２とも同じ情報が記録される。
【０００４】
データゾーンには、その最内周側にＩＳＡ（Inner Spare Area）が、また最外周側にＯＳＡ（Outer Spare Area）が設けられる。このＩＳＡ、ＯＳＡが、欠陥による交替処理に用いる交替領域とされる。ＩＳＡはデータゾーンの開始位置から所定数のクラスタサイズで形成される。ＯＳＡはデータゾーンの終了位置から内周側へ所定数のクラスタサイズで形成される。そしてデータゾーンにおいてＩＳＡとＯＳＡに挟まれた区間がユーザデータ領域とされる。このユーザデータ領域が通常のユーザデータの記録再生に用いられる領域である。
【０００５】
リードアウトゾーンは、ディスク管理領域とされ、ＤＭＡ３、ＤＭＡ４などの所定の領域フォーマットが設定される。ＤＭＡ３、ＤＭＡ４もＤＭＡ１、ＤＭＡ２と同様にファイナライズ時に最新のＴＤＭＳが記録される領域であり、ＤＭＡ１、ＤＭＡ２と同じ情報が記録される。
【０００６】
そして、リードインゾーンには、ＴＤＭＡ０が形成される。また、スペアエリア（ＩＳＡ、ＯＳＡ）内には、図示したようにＴＤＭＡ１、ＴＤＭＡ２を設けることができる。具体的に、ＴＤＭＡ１はＩＳＡ内に設定可能とされ、ＴＤＭＡ２はＯＳＡ内に設定可能とされる。このようにＴＤＭＡは、ディスク内周のリードインゾーンやデータゾーンに複数個設けられ、それぞれＴＤＭＡｎ（ｎ＝０、１、２、……）のように通し番号が付せられている。そして、このＴＤＭＡはＴＤＭＡ０、ＴＤＭＡ１、ＴＤＭＡ２、……のように番号順に使用するとともに、各ＴＤＭＡに対してＴＤＭＳを先頭から順に連続して記録するよう定められている。
【０００７】
そして、ＢＤ−Ｒには、どのＴＤＭＡが有効であるか（すなわち、どのＴＤＭＡに最新のＴＤＭＳが書き込まれているか）を示す情報であるＴＤＭＡインジケータが書き込まれる領域が、ＴＤＭＡ０の先頭に確保されている。この場合、最新のＴＤＭＳがＴＤＭＡ０に書き込まれている状態では、ＴＤＭＡインジケータには全く書き込みされない。このＴＤＭＡ０がＴＤＭＳの更新に使い切られ、ＴＤＭＳが次のＴＤＭＡ１に書き込まれる段階で、当該ＴＤＭＡ１に最新情報があることを示すためにＴＤＭＡ１インジケータに対して書き込みが行われる。以降も同様に、当該ＴＤＭＡ１が更新に使い切られ、ＴＤＭＳがＴＤＭＡ２に書き込まれる段階で当該ＴＤＭＡ２に最新情報があることを示すＴＤＭＡ２インジケータに書き込みが行われることになる。
【０００８】
上述した構造のＢＤ−Ｒについて、従来のユーザデータを再生する前に再生装置で行うスピンアップ動作を図１下段を参照して説明する。図１の下段はＴＤＭＡ２に最新のＴＤＭＳが書き込まれている場合である。
【０００９】
まず（１）でＩＳＡの位置でレーザ光をフォーカス方向やトラッキング方向に合わせてサーボを動作させて光ディスクの記録面からデータを読み込めるようにするセットアップを行う。次に（２）でリードインゾーンに記録されているＰＩＣを読み込む。次に（３）でＴＤＭＡ０の先頭に記録されているＴＤＭＡインジケータを読み込む。次に（４）でＯＳＡのＴＤＭＡ２から最新のＴＤＭＳを読み込む。次に（５）でリードインゾーンに記録されているＰＡＣを読み込む。そして（６）でユーザデータ領域の先頭でポーズして再生開始の指示を待つ。
【先行技術文献】
【特許文献】
【００１０】
【特許文献１】特開２００８−２９３５７１号公報
【発明の概要】
【発明が解決しようとする課題】
【００１１】
上述した従来のスピンアップ動作では、リードインゾーンに記録されているＴＤＭＡインジケータを読み取ってどのＴＤＭＡに最新のＴＤＭＳが記録されているかを確認してから、最新のＴＤＭＳが記録されているＴＤＭＡを読み込んでいた。
【００１２】
この場合、図１に示したように最新のＴＤＭＳが外周側に設けられているＴＤＭＡ２に記録されている場合、内周側から外周側にシークして、その後ＰＡＣを読み取るために内周側にシークしなければならず、長い距離のシークを２回行うためにスピンアップ動作に時間がかかり、結果として映像などのユーザデータの再生開始までに時間がかかってしまうという問題があった。
【００１３】
この問題は例えば、初回の再生時にメモリにＴＤＭＳを記憶しておけば、２回目以降の再生ではＴＤＭＳはメモリから読み出すことでスピンアップ時間を短縮することができるが、車載機器などでは光ディスクを機器に挿入したままの状態が多く、初回と２回目の再生の間で電源を切る動作が入る場合は、メモリを揮発性メモリよりも高価な不揮発性メモリを使用しなければならない。ここで、例えばＢＤ−Ｒにおいては、ＴＤＭＳはデータ量が数１００ｋバイト程度であり、データ量が大きいため電源ＯＦＦ時のバックアップ用の不揮発性メモリにＴＤＭＳを記憶するとなると、搭載する不揮発性メモリの容量を大きくしなければならずコストがかかってしまうという問題があった。
【００１４】
そこで、本発明は、例えば、ＢＤ−Ｒなどの記録可能な光ディスクを低コストにスピンアップ時間を短縮することができる光ディスク装置、光ディスク再生方法、光ディスク再生プログラムおよび光ディスク再生プログラムを格納した記録媒体を提供することを課題とする。
【課題を解決するための手段】
【００１５】
上記課題を解決するために、請求項１に記載の光ディスク装置は、ユーザデータが記録されているユーザデータ領域と、前記ユーザデータ領域のデータ記録に応じて更新される管理情報が記録可能であって内周および外周の複数の位置に設けられたユーザデータ記録管理領域と、複数の前記ユーザデータ記録管理領域のいずれが有効であるかを示す情報や自身を再生するために必要な情報が記録されているディスク管理領域と、を有した光ディスクからデータを読み込む読み込み手段と、前記読み込み手段が読み込んだデータを再生する再生手段と、を備えた光ディスク装置において、複数の前記ユーザデータ記録管理領域のいずれが有効であるかを示す情報を記憶する不揮発性の記憶手段と、前記光ディスクが当該光ディスク装置内に挿入された直後の再生時に、前記記憶手段に複数の前記ユーザデータ記録管理領域のいずれが有効であるかを示す情報を記憶させる記憶制御手段と、前記光ディスクを再生後に電源を切る際には、前記記憶手段に記憶した複数の前記ユーザデータ記録管理領域のいずれが有効であるかを示す情報に基づいて、有効である前記ユーザデータ記録管理領域に対応する位置に前記読み込み手段を移動させ、その後に電源が投入された際は当該有効である前記ユーザデータ記録管理領域に記録された前記管理情報から前記読み込み手段に読み込ませる読み込み制御手段と、を備えたことを特徴としている。
【００１６】
請求項４に記載の光ディスク再生方法は、ユーザデータが記録されているユーザデータ領域と、前記ユーザデータ領域のデータ記録に応じて更新される管理情報が記録可能であって内周および外周の複数の位置に設けられたユーザデータ記録管理領域と、複数の前記ユーザデータ記録管理領域のいずれが有効であるかを示す情報や自身を再生するために必要な情報が記録されているディスク管理領域と、を有した光ディスクからデータを読み込み手段で読み込み再生する再生装置における光ディスク再生方法において、前記光ディスクが前記再生装置内に挿入された直後の再生時に、不揮発性の記憶手段に複数の前記ユーザデータ記録管理領域のいずれが有効であるかを示す情報を記憶して、前記光ディスクを再生後に電源を切る際には、前記記憶手段に記憶した複数の前記ユーザデータ記録管理領域のいずれが有効であるかを示す情報に基づいて、有効である前記ユーザデータ記録管理領域に対応する位置に前記読み込み手段を移動させ、その後に電源が投入された際は当該有効である前記ユーザデータ記録管理領域に記録された前記管理情報から前記読み込み手段に読み込ませることを特徴としている。
【００１７】
請求項５に記載の光ディスク再生プログラムは、ユーザデータが記録されているユーザデータ領域と、前記ユーザデータ領域のデータ記録に応じて更新される管理情報が記録可能であって内周および外周の複数の位置に設けられたユーザデータ記録管理領域と、複数の前記ユーザデータ記録管理領域のいずれが有効であるかを示す情報や自身を再生するために必要な情報が記録されているディスク管理領域と、を有した光ディスクからデータを読み込む読み込み手段と、前記読み込み手段が読み込んだデータを再生する再生手段と、を備えた光ディスク装置のコンピュータを、複数の前記ユーザデータ記録管理領域のいずれが有効であるかを示す情報を記憶する不揮発性の記憶手段と、前記光ディスクが当該光ディスク装置内に挿入された直後の再生時に、前記記憶手段に複数の前記ユーザデータ記録管理領域のいずれが有効であるかを示す情報を記憶させる記憶制御手段と、前記光ディスクを再生後に電源を切る際には、前記記憶手段に記憶した複数の前記ユーザデータ記録管理領域のいずれが有効であるかを示す情報に基づいて、有効である前記ユーザデータ記録管理領域に対応する位置に前記読み込み手段を移動させ、その後に電源が投入された際は当該有効である前記ユーザデータ記録管理領域に記録された前記管理情報から前記読み込み手段に読み込ませる読み込み制御手段と、として機能させることを特徴としている。
【図面の簡単な説明】
【００１８】
【図１】従来のスピンアップ動作の説明図である。
【図２】本発明の一実施例にかかる光ディスク装置のブロック図である。
【図３】図１に示された光ディスク装置のスピンアップ動作の説明図である。
【図４】図１に示された光ディスク装置の再生動作の概略フローチャートである。
【図５】図４に示された再生の詳細動作フローチャートである。
【図６】図５に示された再生（１）の詳細動作フローチャートである。
【図７】図５に示された再生（２）の詳細動作フローチャートである。
【図８】図５に示された電源ＯＦＦ処理の詳細動作フローチャートである。
【図９】図４に示されたＥＪＥＣＴ処理の詳細動作フローチャートである。
【発明を実施するための形態】
【００１９】
以下、本発明の一実施形態にかかる光ディスク装置を説明する。本発明の一実施形態にかかる光ディスク装置は、記憶制御手段が光ディスクが当該光ディスク装置内に挿入された直後の再生時に、記憶手段に複数のユーザデータ記録管理領域のいずれが有効であるかを示す情報を記憶させ、読み込み制御手段が光ディスクを再生後に電源を切る際には、記憶手段に記憶した複数のユーザデータ記録管理領域のいずれが有効であるかを示す情報に基づいて、有効であるユーザデータ記録管理領域に対応する位置に読み込み手段を移動させ、その後に電源が投入された際は当該有効であるユーザデータ記録管理領域に記録された管理情報から読み込み手段に読み込ませているので、ユーザデータ領域のデータ記録に応じて更新される管理情報であるＴＤＭＳではなく複数のユーザデータ記録管理領域のいずれが有効であるかを示す情報であるＴＤＭＡインジケータを不揮発性のメモリに記憶し、電源を切る際にはＴＤＭＡインジケータが示す最新のＴＤＭＳが記録されているＴＤＭＡの位置に読み込み手段としてピックアップ等を移動させて、電源投入時には最新のＴＤＭＳから読み込むことができることから、前後の再生間に電源を切る動作が行われる場合でも、不揮発性メモリを少ない使用量とするとともにＴＤＭＡインジケータからＴＤＭＡまでのシークを無くしてスピンアップ時間を短縮することができる。
【００２０】
また、読み込み制御手段が、有効であるユーザデータ記録管理領域を読み込ませた後に、自身を再生するために必要な情報を読み込み手段に読み込ませてもよい。このようにすることにより、ＴＤＭＳを読み込んだ後にＰＩＣやＰＡＣなどを読み込むことで、不揮発性メモリを最低限度の使用量として、不揮発性メモリの使用量をさらに節約することができる。
【００２１】
また、記憶制御手段が、光ディスクが当該光ディスク装置から排出されたことを検出し、排出されたことを検出した際は、記憶手段に記憶されている複数のユーザデータ記録管理領域のいずれが使用されているかを示す情報を消去するようにしてもよい。このようにすることにより、記憶手段に残っている複数のユーザデータ記録管理領域のいずれが有効であるかを示す情報、つまりＴＤＭＡインジケータによって別の光ディスクを再生する際に誤動作してしまうことを防止できる。
【００２２】
また、本発明の一実施形態にかかる光ディスク再生方法は、光ディスクが当該光ディスク装置内に挿入された直後の再生時に、記憶手段に複数のユーザデータ記録管理領域のいずれが有効であるかを示す情報を記憶して、光ディスクを再生後に電源を切る際には、記憶手段に記憶した複数のユーザデータ記録管理領域のいずれが有効であるかを示す情報に基づいて、有効であるユーザデータ記録管理領域に対応する位置に読み込み手段を移動させ、その後に電源が投入された際は当該有効であるユーザデータ記録管理領域に記録された管理情報から読み込み手段に読み込ませているので、ユーザデータ領域のデータ記録に応じて更新される管理情報であるＴＤＭＳではなく複数のユーザデータ記録管理領域のいずれが有効であるかを示す情報であるＴＤＭＡインジケータを不揮発性のメモリに記憶し、電源を切る際にはＴＤＭＡインジケータが示す最新のＴＤＭＳが記録されているＴＤＭＡの位置に読み込み手段としてピックアップ等を移動させて、電源投入時には最新のＴＤＭＳから読み込むことができることから、前後の再生間に電源を切る動作が行われる場合でも、不揮発性メモリを少ない使用量とするとともにＴＤＭＡインジケータからＴＤＭＡまでのシークを無くしてスピンアップ時間を短縮することができる。
【００２３】
また、本発明の一実施形態にかかる光ディスク再生プログラムは、記憶制御手段が光ディスクが当該光ディスク装置内に挿入された直後の再生時に、記憶手段に複数のユーザデータ記録管理領域のいずれが有効であるかを示す情報を記憶させ、読み込み制御手段が光ディスクを再生後に電源を切る際には、記憶手段に記憶した複数のユーザデータ記録管理領域のいずれが有効であるかを示す情報に基づいて、有効であるユーザデータ記録管理領域に対応する位置に読み込み手段を移動させ、その後に電源が投入された際は当該有効であるユーザデータ記録管理領域に記録された管理情報から読み込み手段に読み込ませているので、ユーザデータ領域のデータ記録に応じて更新される管理情報であるＴＤＭＳではなく複数のユーザデータ記録管理領域のいずれが有効であるかを示す情報であるＴＤＭＡインジケータを不揮発性のメモリに記憶し、電源を切る際にはＴＤＭＡインジケータが示す最新のＴＤＭＳが記録されているＴＤＭＡの位置に読み込み手段としてピックアップ等を移動させて、電源投入時には最新のＴＤＭＳから読み込むことができることから、前後の再生間に電源を切る動作が行われる場合でも、不揮発性メモリを少ない使用量とするとともにＴＤＭＡインジケータからＴＤＭＡまでのシークを無くしてスピンアップ時間を短縮することができる。
【００２４】
また、上述した光ディスク再生プログラムをコンピュータ読み取り可能な記録媒体に格納してもよい。このようにすることにより、光ディスク再生プログラムを機器に組み込む以外に単体でも流通させることができ、バージョンアップ等も容易に行える。
【実施例】
【００２５】
本発明の一実施例にかかる光ディスク装置１を図２乃至図９を参照して説明する。光ディスク装置１は、図２に示すようにディスクモータ２と、光ピックアップ３と、キャリッジモータ４と、リードスクリュー５と、ＲＦアンプ６と、サーボ信号処理部７と、ドライバ８と、音声／映像信号処理部９と、バッファ１０と、マイクロコンピュータ１１と、フラッシュメモリ１５と、を備えている。
【００２６】
ディスクモータ２は、光ディスク装置１にセットされた光ディスク１２を回転させるためのモータであり、スピンドルモータなどで構成されている。
【００２７】
読み込み手段としての光ピックアップ３は、光ディスク１２に照射するレーザ光を発生させるレーザダイオードや、光ディスク１２上にレーザダイオードからのレーザ光を集光するための対物レンズ、サーボ信号処理部７からの信号によりフォーカス方向やトラッキング方向に対物レンズを駆動するためのアクチュエータおよび光ディスク１２から反射された反射光を受けるフォトダイオードなどを備え、フォトダイオードの出力から光ディスク１２に記録されている映像や音楽などのトラックデータを含むＲＦ信号やフォーカスエラー信号およびトラッキングエラー信号などを生成しＲＦアンプ６へ出力する。
【００２８】
キャリッジモータ４は、後述するリードスクリュー５を通じて光ピックアップ３を光ディスク１２の径方向に移動させるためのモータでありステッピングモータなどで構成されている。
【００２９】
リードスクリュー５は、円柱状に形成されてその外周面にネジ溝とネジ山が形成され、光ディスク１２の径方向と平行に設置されている。リードスクリュー５は、キャリッジモータ４の回転軸と機械的に接続されておりキャリッジモータ４の回転に合わせて回転する。リードスクリュー５のネジ溝やネジ山は光ピックアップ３に形成された図示しないネジ山やネジ溝と噛み合っており、リードスクリュー５が回転することで光ピックアップ３が光ディスク１２の径方向に沿って移動する。つまり、キャリッジモータ４とリードスクリュー５とで光ピックアップを光ディスク１２の径方向に移動させる手段を構成している。
【００３０】
ＲＦアンプ６は、光ピックアップ３から入力される信号を所定の値に増幅し、サーボ信号処理部７へ出力する。
【００３１】
サーボ信号処理部７は、ＲＦアンプ６から入力されるフォーカスエラー信号やトラッキングエラー信号などの制御信号を基に光ピックアップ３のアクチュエータを駆動させてフォーカスおよびトラッキングの制御などを行い光ディスク１２に記録された情報を正確に読めるようにする。さらに、光ディスク１２に記録された映像や音楽などを含むＲＦ信号をアナログ／デジタル変換して音声／映像信号処理部９へ出力する。
【００３２】
ドライバ８は、サーボ信号処理部７から入力された信号からディスクモータ２および光ピックアップ３のアクチュエータおよびキャリッジモータ４への駆動信号の生成や記録データを出力する。
【００３３】
再生手段としての音声／映像信号処理部９は、サーボ信号処理部７から入力された信号にエラー訂正などを行った後復調やデコードを行いバッファ１０へ出力する。そしてマイクロコンピュータ１１からの要求に従ってバッファ１０から読み出してホストコンピュータ２０へ出力する。また、デコードされた情報のうち映像などのコンテンツデータ以外のＰＩＣやＰＡＣおよびＴＤＭＳなどの制御情報はマイクロコンピュータ１１へ出力する。
【００３４】
バッファ１０は、振動などによって再生が途切れないように所定量一時的に音声／映像信号処理部９で再生された映像や音声などのコンテンツデータを格納するためのメモリであり、揮発性の半導体メモリで構成される。バッファ１０には光ディスク１２から通常の数倍速の再生速度で読み込んだデータを格納し、通常の再生速度で出力する。
【００３５】
読み込み制御手段としてのマイクロコンピュータ１１は、ＣＰＵ（Central Processing Unit）と、ＲＡＭ（Random Access Memory）１１ａと、図示しないＲＯＭ（Read Only Memory）とを内蔵し、ホストコンピュータ２０からの命令に基づいて光ディスク１２のセットアップなどのスピンアップ時の処理や、挿入や排出、再生や停止および一時停止などの各操作における光ディスク装置１全体の制御など行う。
【００３６】
記憶手段としてのフラッシュメモリ１５は、不揮発性の半導体メモリであり、ＴＤＭＡインジケータやＢＤ−Ｒなどのディスク種別が記憶される。
【００３７】
次に、本実施例におけるスピンアップ動作を図３乃至図９を参照して説明する。図３の上段のＢＤ−Ｒの記録領域の構造は図１と同様である。下段がスピンアップ動作である。図３も図１と同様にＴＤＭＡ２に最新のＴＤＭＳが書き込まれている場合である。
【００３８】
まず、（０）として今回の再生におけるスピンアップ動作よりも前の初回再生時にＴＤＭＡインジケータをフラッシュメモリ１５に記憶させておき、電源ＯＦＦ時にフラッシュメモリ１５に格納したＴＤＭＡインジケータに基づいてＴＤＭＡ２の領域に光ピックアップ３を移動させておく。なお、ＴＤＭＡインジケータは、上述したとおりどのＴＤＭＡが有効であるか（すなわち、どのＴＤＭＡに最新のＴＤＭＳが書き込まれているか）を示す情報であり、フラッシュメモリ１５に記憶させる必要があるデータは数バイトとなる。
【００３９】
次に、電源ＯＮしてスピンアップ動作を行う際には（１）でＴＤＭＡ２の領域でレーザ光をフォーカス方向やトラッキング方向に合わせてサーボを動作させて光ディスクの記録面からデータを読み込めるようにするセットアップを行う。次に（２）でＴＤＭＡ２に記録されている最新のＴＤＭＳを読み込む。次に（３）でリードインゾーンに記録されているＰＩＣを読み込む。次に（４）でＰＡＣを読み込む。そして（５）でユーザデータ領域の先頭でポーズして再生開始の指示を待つ。
【００４０】
このように動作させることで、初回再生後に電源を切る動作が行われた後の再生時において、長い距離のシークの回数を図１と比較して１回減らすことができるのでスピンアップ時間の短縮ができる。詳細動作を図４乃至図９のフローチャートを参照して説明する。図４乃至図９に示したフローチャートはマイクロコンピュータ１１で実行される。
【００４１】
図４は図１に示した光ディスク装置１の再生動作の概略フローを示している。まず、ステップＳ１０１において、光ディスク１２が光ディスク装置１内に挿入されたか否かを判断し、挿入された場合（Ｙの場合）はステップＳ１０２に進み、挿入されない場合（Ｎの場合）は本ステップで待機する。挿入されたか否かは、光ディスク装置１に設けられた図示しない挿入口などに設けられたセンサなどの検出装置からの信号に基づいて判断する。
【００４２】
次に、ステップＳ１０２において、再生を行いステップＳ１０３に進む。本ステップの詳細は図５に示すが説明は後述する。
【００４３】
ステップＳ１０３において、ホストコンピュータ２０からＥＪＥＣＴ要求（排出要求）がされたか否かを判断し、ＥＪＥＣＴ要求された場合（Ｙの場合）はステップＳ１０４に進み、そうでない場合（Ｎの場合）はステップＳ１０２に戻る。
【００４４】
次に、ステップＳ１０４において、ＥＪＥＣＴ処理を行ってステップＳ１０１に戻る。本ステップの詳細は図９に示すが説明は後述する。
【００４５】
図５は、図４のステップＳ１０２の再生の詳細動作フローを示している。まず、ステップＳ２０１において、再生（１）を行いステップＳ２０２に進む。本ステップの詳細は図６に示すが説明は後述する。
【００４６】
次に、ステップＳ２０２において、ホストコンピュータ２０から電源ＯＦＦ要求が指示されたか否かを判断し、指示された場合（Ｙの場合）はステップＳ２０３に進み、そうでない場合（Ｎの場合）はステップＳ２０１に戻る。
【００４７】
次に、ステップＳ２０３において、電源ＯＦＦ処理を行ってステップＳ２０４に進む。本ステップの詳細は図８に示すが説明は後述する。
【００４８】
次に、ステップＳ２０４において、ホストコンピュータ２０から電源ＯＮ要求が指示されたか否かを判断し、指示された場合（Ｙの場合）はステップＳ２０５に進み、そうでない場合（Ｎの場合）は本ステップで待機する。
【００４９】
次に、ステップＳ２０５において、再生（２）を行いステップＳ２０２に進む。本ステップの詳細は図７に示すが説明は後述する。
【００５０】
次に、ステップＳ２０６において、ホストコンピュータ２０から電源ＯＦＦ要求が指示されたか否かを判断し、指示された場合（Ｙの場合）はステップＳ２０７に進み、そうでない場合（Ｎの場合）はステップＳ２０５に戻る。
【００５１】
次に、ステップＳ２０７において、ステップＳ２０３と同様に電源ＯＦＦ処理を行ってステップＳ２０４に戻る。
【００５２】
図６は、図５のステップＳ２０１の再生（１）の詳細動作フローを示している。まず、ステップＳ３０１でスピンアップしてステップＳ３０２に進む。本ステップでのスピンアップは従来と同様の方法で行う。
【００５３】
次に、ステップＳ３０２において、光ディスク１２がＢＤ−Ｒか否かを判断し、ＢＤ−Ｒであった場合（Ｙの場合）はステップＳ３０３に進み、そうでない場合（Ｎの場合）はステップＳ３０４に進む。ＢＤ−Ｒか否かは、ステップＳ３０１のセットアップ時に行うディスク種別の判別結果を用いる。ディスク種別の判別方法としては、例えば、反射率の違いを利用する方法などが挙げられる。すなわち、光ディスク１２の記録層に所定波長のレーザ光を照射し、その際に記録層で反射される反射光の信号レベルに基づいて、ディスクの種別を判別する。つまり、再生（１）は光ディスク装置１内に光ディクス１２が挿入された直後の再生である。
【００５４】
次に、ステップＳ３０３において、物理メディア情報とＴＤＭＡインジケータをフラッシュメモリ１５に記憶してステップＳ３０４に進む。
【００５５】
次に、ステップＳ３０４において、実際の再生動作を行う。つまり、ユーザデータ領域に記録されている映像などのコンテンツデータを読み出して再生する。
【００５６】
図７は、図５のステップＳ２０５の再生（２）の詳細動作フローを示している。まず、ステップＳ４０１において、レーザ光をフォーカス方向やトラッキング方向に合わせてサーボを動作させて光ディスク１２の記録面からデータを読み込めるようにするセットアップを行いステップＳ４０２に進む。
【００５７】
次に、ステップＳ４０２において、光ディスク１２がＢＤ−Ｒか否かを判断し、ＢＤ−Ｒであった場合はステップＳ４０３に進み、そうでない場合はステップＳ４０６に進む。ＢＤ−Ｒか否かは図６のステップＳ３０３でフラッシュメモリ１５に記憶したディスク種別を読み出して判別する。
【００５８】
次に、ステップＳ４０３において、ＴＤＭＳをリードしてステップＳ４０４に進む。本ステップでは図８の説明において後述するように有効なＴＤＭＳが記録されているＴＤＭＡの位置に予め光ピックアップ３が移動されているので、長距離のシークを発生させずに読み込む（リードする）ことができる。
【００５９】
次に、ステップＳ４０４において、ＰＩＣをリードしてステップＳ４０５に進む。つまり、ＴＤＭＳを読み込んだ後にリードインゾーンにシークしてＰＩＣを読み込む。
【００６０】
次に、ステップＳ４０５において、ＰＡＣをリードしてステップＳ４０６に進む。即ち、ステップＳ４０４、Ｓ４０５で自身を再生するために必要な情報を読み込ませている。
【００６１】
一方、ステップＳ４０６においては、ＢＤ−Ｒではなかったので対応する光ディスクの制御情報等再生に必要な情報を所定の領域からリードしてステップＳ４０７に進む。
【００６２】
次に、ステップＳ４０７において、実際の再生動作を行う。つまり、ユーザデータ領域に記録されている映像などのコンテンツデータを読み出して再生する。
【００６３】
図８は、図５のステップＳ２０３やＳ２０７の電源ＯＦＦ処理の詳細動作フローを示している。まず、ステップＳ５０１において、光ディスク１２がＢＤ−Ｒか否かを判断し、ＢＤ−Ｒであった場合はステップＳ５０２に進み、そうでない場合はステップＳ５０３に進む。ＢＤ−Ｒか否かは図６のステップＳ３０３でフラッシュメモリ１５に記憶したディスク種別を読み出して判別する。
【００６４】
次に、ステップＳ５０２において、光ピックアップ３を有効ＴＤＭＡの位置に移動させてステップＳ５０３に進む。本ステップでは、図６のステップＳ３０３でフラッシュメモリ１５に記憶したＴＤＭＡインジケータに基づいて光ディスク１２上の有効なＴＤＭＡに対応する位置に光ピックアップ３をキャリッジモータ４とリードスクリュー５によって移動させる。
【００６５】
次に、ステップＳ５０３において、電源ＯＦＦ処理を行う。この処理は従来と同様の電源ＯＦＦ時に行うべき処理を行っている。
【００６６】
図９は、図４のステップＳ１０４のＥＪＥＣＴ処理の詳細動作フローを示している。まず、ステップＳ６０１において、物理メディア情報とＴＤＭＡインジケータをフラッシュメモリ１５からクリア（消去）してステップＳ６０２に進む。
【００６７】
次に、ステップＳ６０２において、ＥＪＥＣＴ処理を行う。この処理は従来と同様のＥＪＥＣＴ時に行うべき処理を行っている。
【００６８】
本実施例によれば、まず、最初の再生時にＢＤ−Ｒであった場合は、ディスク種別とＴＤＭＡインジケータの内容をフラッシュメモリ１５に記憶させ、電源ＯＦＦ時にはフラッシュメモリ１５に記憶したＴＤＭＡインジケータに基づいて有効ＴＤＭＳが記録されているＴＤＭＡの位置に光ピックアップ３を移動させる。その後電源ＯＮになった際には、その位置にあるＴＤＭＳを最初にリードさせているので、前後の再生間に電源を切る動作が行われる場合でも、フラッシュメモリ１５を少ない使用量とするとともに、ＴＤＭＡインジケータからＴＤＭＡまでのシークを無くしてスピンアップ時間を短縮することができる。
【００６９】
また、ＴＤＭＳを読み込んだ後にＰＩＣやＰＡＣなどの自身を再生するために必要な情報を読み込んでいるので、フラッシュメモリ１５の使用量をディスク種別とＴＤＭＡインジケータに絞ることで最低限度の使用量として、フラッシュメモリの使用量をさらに節約することができる。
【００７０】
また、光ディスク１２のＥＪＥＣＴ時には、フラッシュメモリ１５の内容をクリアしているので、別の光ディスクを再生する際に、フラッシュメモリ１５に残っている情報によって誤動作してしまうことを防止できる。
【００７１】
なお、上述した実施例では再生（２）の際にＴＤＭＳの読み込み後にＰＩＣとＰＡＣを読み込んでいたが、フラッシュメモリ１５の容量に余裕がある場合は、再生（１）の際にＰＩＣとＰＡＣもフラッシュメモリ１５に記憶しても良い。ＰＩＣやＰＡＣはＴＤＭＳほどデータ量が大きくないのでフラッシュメモリ１５に読み込める場合がある。このようにすることで、再生（２）の際にＰＩＣやＰＡＣを読み込むためのシークが発生しないのでスピンアップ時間を更に短縮することができる。
【００７２】
また、上述した実施例では有効なＴＤＭＡが外周側のＴＤＭＡ２の場合に図１の従来例に対して有効であることを示したが、例えば有効なＴＤＭＡが内周側のＴＤＭＡ０やＴＤＭＡ１であった場合でも、１回目の再生終了時に外周側で終了した場合は有効である。要するに、本発明は電源ＯＦＦ時に有効なＴＤＭＡの位置に光ピックアップ３を予め移動させることで、次に電源ＯＮされた際にＴＤＭＳを読み込むためのシーク時間を短縮するものである。
【００７３】
また、上述した実施例では、ＢＤ−Ｒを例に説明したが、本願発明は、ＢＤ−Ｒに限らず、ユーザデータが記録されているユーザデータ領域と、前記ユーザデータ領域のデータ記録に応じて更新される管理情報が記録可能であって内周および外周の複数の位置に設けられたユーザデータ記録管理領域と、複数の前記ユーザデータ記録管理領域のいずれが有効であるかを示す情報や自身を再生するために必要な情報が記録されているディスク管理領域とを有する光ディスクであってもよい。
【００７４】
前述した実施例によれば、以下の光ディスク装置１、光ディスク記録再生方法および光ディスク記録再生プログラムが得られる。
【００７５】
（付記１）ユーザデータが記録されているユーザデータ領域と、ＴＤＭＳが記録可能であって内周および外周の複数の位置に設けられたＴＤＭＡと、ＴＤＭＡインジケータやＰＩＣやＰＡＣが記録されているリードインゾーンと、を有した光ディスク１２からデータを読み込む光ピックアップ３と、光ピックアップ３が読み込んだデータを再生する音声／映像信号処理部９と、を備えた光ディスク装置１において、
ＴＤＭＡインジケータを記憶するフラッシュメモリ１５と、
光ディスク１２が当該光ディスク装置１内に挿入された直後の再生時に、フラッシュメモリ１５にＴＤＭＡインジケータを記憶させるマイクロコンピュータ１１と、
光ディスク１２を再生後に電源を切る際には、フラッシュメモリ１５に記憶したＴＤＭＡインジケータに基づいて、有効であるＴＤＭＡに対応する位置に光ピックアップ３を移動させ、その後に電源が投入された際は当該有効であるＴＤＭＡのＴＤＭＳから光ピックアップ３に読み込ませるマイクロコンピュータ１１と、
を備えたことを特徴とする光ディスク装置１。
【００７６】
この光ディスク装置１によれば、ＴＤＭＡインジケータのみをフラッシュメモリ１５に記憶し、電源を切る際にはＴＤＭＡインジケータが示す最新のＴＤＭＳが記録されているＴＤＭＡに光ピックアップ３を移動させて、電源投入時には最新のＴＤＭＳから読み込むことができることから、前後の再生間に電源を切る動作が行われる場合でも、フラッシュメモリ１５を少ない使用量とするとともにＴＤＭＡインジケータからＴＤＭＡまでのシークを無くしてスピンアップ時間を短縮することができる。
【００７７】
（付記２）ユーザデータが記録されているユーザデータ領域と、ＴＤＭＳが記録可能であって内周および外周の複数の位置に設けられたＴＤＭＡと、ＴＤＭＡインジケータやＰＩＣやＰＡＣが記録されているリードインゾーンと、を有した光ディスク１２からデータを光ピックアップ３で読み込み再生する光ディスク装置１における光ディスク再生方法において、
光ディスク１２が光ディスク装置１内に挿入された直後の再生時に、フラッシュメモリ１５にＴＤＭＡインジケータを記憶して、光ディスク１２を再生後に電源を切る際には、フラッシュメモリ１５に記憶したＴＤＭＡインジケータに基づいて、有効であるＴＤＭＡに対応する位置に光ピックアップ３を移動させ、その後に電源が投入された際は当該有効であるＴＤＭＡのＴＤＭＳから光ピックアップ３に読み込ませることを特徴とする光ディスク再生方法。
【００７８】
この光ディスク再生方法によれば、ＴＤＭＡインジケータのみをフラッシュメモリ１５に記憶し、電源を切る際にはＴＤＭＡインジケータが示す最新のＴＤＭＳが記録されているＴＤＭＡに光ピックアップ３を移動させて、電源投入時には最新のＴＤＭＳから読み込むことができることから、前後の再生間に電源を切る動作が行われる場合でも、フラッシュメモリ１５を少ない使用量とするとともにＴＤＭＡインジケータからＴＤＭＡまでのシークを無くしてスピンアップ時間を短縮することができる。
【００７９】
（付記３）ユーザデータが記録されているユーザデータ領域と、ＴＤＭＳが記録可能であって内周および外周の複数の位置に設けられたＴＤＭＡと、ＴＤＭＡインジケータやＰＩＣやＰＡＣが記録されているリードインゾーンと、を有した光ディスク１２からデータを読み込む光ピックアップ３と、光ピックアップ３が読み込んだデータを再生する音声／映像信号処理部９と、を備えた光ディスク装置１のコンピュータを、
ＴＤＭＡインジケータを記憶するフラッシュメモリ１５と、
光ディスク１２が当該光ディスク装置１内に挿入された直後の再生時に、フラッシュメモリ１５にＴＤＭＡインジケータを記憶させるマイクロコンピュータ１１と、
光ディスク１２を再生後に電源を切る際には、フラッシュメモリ１５に記憶したＴＤＭＡインジケータに基づいて、有効であるＴＤＭＡに対応する位置に光ピックアップ３を移動させ、その後に電源が投入された際は当該有効であるＴＤＭＡのＴＤＭＳから光ピックアップ３に読み込ませるマイクロコンピュータ１１と、
して機能させることを特徴とする光ディスク再生プログラム。
【００８０】
この光ディスク再生プログラムによれば、ＴＤＭＡインジケータのみをフラッシュメモリ１５に記憶し、電源を切る際にはＴＤＭＡインジケータが示す最新のＴＤＭＳが記録されているＴＤＭＡに光ピックアップ３を移動させて、電源投入時には最新のＴＤＭＳから読み込むことができることから、前後の再生間に電源を切る動作が行われる場合でも、フラッシュメモリ１５を少ない使用量とするとともにＴＤＭＡインジケータからＴＤＭＡまでのシークを無くしてスピンアップ時間を短縮することができる。
【００８１】
なお、前述した実施例は本発明の代表的な形態を示したに過ぎず、本発明は、実施例に限定されるものではない。すなわち、本発明の骨子を逸脱しない範囲で種々変形して実施することができる。
【符号の説明】
【００８２】
１        光ディスク装置
３        光ピックアップ（読み込み手段）
９        音声／映像信号処理部（再生手段）
１１      マイクロコンピュータ（読み込み制御手段）
１２      光ディスク
１５      フラッシュメモリ（記憶手段）
【図１】
2011170921.tif 000003
【図２】
2011170921.tif 000004
【図３】
2011170921.tif 000005
【図４】
2011170921.tif 000006
【図５】
2011170921.tif 000007
【図６】
2011170921.tif 000008
【図７】
2011170921.tif 000009
【図８】
2011170921.tif 000010
【図９】
2011170921.tif 000011